(57)【要約】【課題】  本発明は内容物となる容器の回転を防止する機構を設けた包装用容器に関し、包装用容器の外部からの被包装物の視認性を確保しつつ、包装用容器内における被包装物の回転を防止することを課題とする。【解決手段】  内包される化粧品容器１１の少なくとも一部が外部から視認できるよう構成された外装箱１２と、化粧品容器１１が装着されると共に前記外装箱１２に位置規制された状態で収納される中枠１３とを有する包装用容器において、前記中枠１３に化粧品容器１１に形成されている係合用凹部２４と係合し、化粧品容器１１の中枠１３に対する回転を防止する係合部３０を形成する。【選択図】  図１
2005200040.tif 000002
【特許請求の範囲】
【請求項１】
内包される被包装物の少なくとも一部が外部から視認できるよう構成された外装箱と、
前記被包装物が装着されると共に、前記外装箱に位置規制された状態で収納される中枠とを有する包装用容器において、
前記中枠に前記被包装物に形成されている凹部又は凸部と係合し、前記被包装物の前記中枠に対する回転を防止する係合部を形成したことを特徴とする包装用容器。
【請求項２】
請求項１記載の包装用容器において、
前記係合部は、前記被包装物の底部と対向する位置に形成されていることを特徴とする包装用容器。
【請求項３】
請求項１または２記載の包装用容器において、
前記中枠は、前記凹部または凸部に対する前記係合部が係合する係合方向に対する前記被包装物の移動を規制する移動規制部が形成されていることを特徴とする包装用容器。
【請求項４】
請求項１乃至３のいずれか１項に記載の包装用容器において、
前記中枠の前記係合部の形成位置を囲繞する位置に、前記係合部を補強する補強用リブが形成されてなることを特徴とする包装用容器。
【請求項５】
請求項２乃至４のいずれか１項に記載の包装用容器において、
前記中枠を、前記被包装物が装着される本体部と、前記係合部が形成された係合部形成部とを有した構成とし、
かつ、前記係合部形成部を前記本体部に対して変位可能な構成としたことを特徴とする包装用容器。
【発明の詳細な説明】
【技術分野】
【０００１】
本発明は包装用容器に係り、特に内容物となる容器の回転を防止する機構を設けた包装用容器に関する。
【背景技術】
【０００２】
近年、化粧品（例えば、化粧水等）においても量販化が進み、これに伴い化粧品が充填された容器（以下、化粧品容器という）を包装用容器に内包した状態で店頭或は店内に提示し、購買者が直接この展示された化粧品容器を包装用容器と共に手に取り判断し、購入することが行なわれている。このように、購買者が直接化粧品容器を見て購入するか否かを判断する商品を、一般にセルフ商品と称している。
【０００３】
従って、セルフ商品として販売される商品は、包装用容器の外部から内包されている化粧品容器を視認する必要があるため、包装用容器には少なくとも化粧品容器が目視できる透明領域が形成されている。具体的には、セルフ商品として用いられる包装用容器は透明樹脂により形成されている場合が多く、よって包装用容器の外部から内包された化粧品容器が目視できる構成とされている（例えば、参考文献１参照）。
【０００４】
上記のように、セルフ商品の場合、購買者が直接商品を見て購入するか否かを決定するが、この際にセルフ商品が化粧品容器の場合、化粧品容器を通して見える化粧品の色や化粧品容器のデザイン等は購買者が商品を購入するか否かを決定する大きな要素となる。このため、化粧品容器を内包する包装用容器は、化粧品容器（これを通して見える化粧品を含む）を明確に確認することができるよう構成する必要がある。
【０００５】
尚、セルフ商品ではないが、包装用容器のデザインからの観点等より、包装用容器に透明領域を形成し、内包された化粧品容器を外部から見えるようにした包装用容器も存在する。このような包装用容器も、本明細書においては説明の便宜上、セルフ商品に含まれるものとする。
【０００６】
上記したような内包された化粧品容器を外部から見えるようにした包装用容器は、包装用容器を正面から見た場合に化粧品容器が上下左右にずれないようにする必要がある。このため、包装用容器に装着脱可能な中枠を用い、この中枠に化粧品容器を装着した上で、この中枠を包装用容器に収納することが従来から行なわれている。この中枠の外周部は包装用容器の内壁と係合するよう構成されており、よって中枠に装着された化粧品容器は包装用容器の所定位置に対する上下左右方向の位置ずれが防止される構成とされていた。
【特許文献１】特開平１１−１９８９２９号
【発明の開示】
【発明が解決しようとする課題】
【０００７】
上記したように従来の包装用容器は、中枠を用いることにより化粧品容器を包装用容器内の所定位置に位置決めすることができ、上下左右方向の位置ずれの発生を防止することができる。
【０００８】
しかしながら化粧品容器が円筒形状をしていた場合、この化粧品容器を従来の中枠に装着しても、上記した上下左右方向の位置ずれは防止されるものの、化粧品容器の回転は規制されていない。このため、出荷した後販売店まで搬送がされるまでの間に振動や衝撃が与えられると、従来の包装用容器では化粧品容器が中枠内で回転してしまい、店頭に陳列された時点で化粧品容器の正面と包装用容器の正面とがずれてしまうという問題点があった。
【０００９】
これを防止するためには、中枠が化粧品容器に対して広い接触面積を有するよう構成することが考えられる。この構成とすると中枠が大型化してしまい、中枠から化粧品容器が露出する面積が小さくなり、包装用容器の外部からの化粧品容器の視認性が低下してしまう。またこれに伴い、中枠から化粧品容器を取り出し難くなり、包装用容器の使用性も低下してしまうという問題点が生じる。
【００１０】
本発明は上記の点に鑑みてなされたものであり、包装用容器の外部からの被包装物の視認性を確保しつつ、包装用容器内における被包装物の回転を防止しうる包装用容器を提供することを目的とする。
【課題を解決するための手段】
【００１１】
上記の課題を解決するために本発明では、次に述べる各手段を講じたことを特徴とするものである。
【００１２】
請求項１記載の発明は、
内包される被包装物の少なくとも一部が外部から視認できるよう構成された外装箱と、
前記被包装物が装着されると共に、前記外装箱に位置規制された状態で収納される中枠とを有する包装用容器において、
前記中枠に前記被包装物に形成されている凹部又は凸部と係合し、前記被包装物の前記中枠に対する回転を防止する係合部を形成したことを特徴とするものである。
【００１３】
上記発明によれば、係合部により被包装物の中枠に対する回転が防止され、また中枠も外装箱に位置規制された状態で収納されるため、外装箱に対する被包装物の回転が防止される。これにより、外装箱の外部から被包装物を視認する際、常に同一位置にある状態で被包装物を視認することができる。また、係合部を被包装物に形成されている凹部又は凸部と係合することにより被包装物の回転を防止するため、中枠の形状を小さくしても確実に被包装物の回転を防止することができる。
【００１４】
また、請求項２記載の発明は、
請求項１記載の包装用容器において、
前記係合部は、前記被包装物の底部と対向する位置に形成されていることを特徴とするものである。
【００１５】
上記発明によれば、係合部が目立たない被包装物の底部と対向する位置に形成されているため、係合部を形成しても被包装物の外部からの視認性が劣化することを防止できる。
【００１６】
また、請求項３記載の発明は、
請求項１または２記載の包装用容器において、
前記中枠は、前記凹部または凸部に対する前記係合部が係合する係合方向に対する前記被包装物の移動を規制する移動規制部が形成されていることを特徴とするものである。
【００１７】
上記発明によれば、移動規制部により係合方向に対する被包装物の移動が規制される。これにより、係合部が被包装物の凹部または凸部に係合する際、係合部を確実に凹部または凸部に係合させることができ、被包装物の回転を確実に防止することができる。
【００１８】
また、請求項４記載の発明は、
請求項１乃至３のいずれか１項に記載の包装用容器において、
前記中枠の前記係合部の形成位置を囲繞する位置に、前記係合部を補強する補強用リブが形成されてなることを特徴とするものである。
【００１９】
上記発明によれば、補強用リブにより係合部は補強されるため、係合部を被包装物の凹部または凸部に確実に係合させることができ、よって被包装物の回転を確実に防止することができる。
【００２０】
また、請求項５記載の発明は、
請求項２乃至４のいずれか１項に記載の包装用容器において、
前記中枠を、前記被包装物が装着される本体部と、前記係合部が形成された係合部形成部とを有した構成とし、
かつ、前記係合部形成部を前記本体部に対して変位可能な構成としたことを特徴とするものである。
【００２１】
上記発明によれば、係合部形成部は本体部に対して変位可能であるため、凹部又は凸部に対する係合部の係合及び係合解除を容易に行なうことができる。よって、係合部を設けても中枠に対する被包装物の装着脱を容易に行なうことができ、包装用容器の使用性を高めることができる。
【発明の効果】
【００２２】
上述の如く本発明によれば、次に述べる種々の効果を実現することができる。
【００２３】
請求項１記載の発明によれば、外装箱に対する被包装物の回転を確実に防止しつつ、外装箱の外部からの被包装物の視認性を向上させることができる。また、中枠の形状を小さくしつつ、かつ被包装物の回転を確実に防止することができる。
【００２４】
また、請求項２記載の発明によれば、係合部を形成しても被包装物の外部からの視認性が劣化することを防止できる。
【００２５】
また、請求項３及び請求項４記載の発明によれば、被包装物の回転を確実に防止することができる。
【００２６】
また、請求項５記載の発明によれば、係合部を凹部又は凸部に位置決めして係合する処理を容易に行なうことができると共に、包装用容器の使用性を高めることができる。
【発明を実施するための最良の形態】
【００２７】
次に、本発明を実施するための最良の形態について図面と共に説明する。
【００２８】
図１は本発明の一実施例である包装用容器１０を示している。この包装用容器１０は、内部に被包装物を収納するものであり、またセルフ商品に対応したものである。尚、本実施例では、被包装物として化粧品容器１１を例に挙げて説明するものとする。
【００２９】
化粧品容器１１は容器本体１５に化粧品を内部に充填しており、また開口部にキャップ１６が着脱可能に装着された構成とされている。また、本実施例で用いている化粧品容器１１は、容器本体１５が円筒形状とされている（以下、円筒形容器本体１５という）。この円筒形容器本体１５の直径はキャップ１６の直径に対して大きく設定されており、よって円筒形容器本体１５とキャップ１６との間には段部２３が形成されている。
【００３０】
更に、円筒形容器本体１５の容器底部１５ａには、本実施例では２個の係合用凹部２４が形成されている（図４に詳しい）。尚、この係合用凹部２４については、説明の便宜上、後述するものとする。
【００３１】
包装用容器１０は、大略すると外装箱１２と中枠１３とにより構成されている。外装箱１２は、例えばポリプロピレン等の樹脂より形成されている。この外装箱１２は、大略すると長方体形状を有した箱本体１７と、この箱本体１７の図中矢印Ｘ方向両端の開口２１を塞ぐ蓋片１８及び底片２２とにより構成されている。
【００３２】
前記したように、化粧品容器１１はセルフ商品であるため、これに対応するために外装箱１２の所定領域は透明とされている。本実施例では、外装箱１２の化粧品容器１１と対向するフロント面１２ａに透明部３４が設けられている。具体的には、図３に示される外装箱１２において、梨地で示した部分は不透明部分であり、梨地が施されていない領域が透明部３４である。尚、図３は、外装箱１２の蓋片１８が形成された側の開口２１の近傍を拡大して示している。
【００３３】
更に、図３に示される箱本体１７の端部には、蓋片１８に加えて折り込み片１９が形成されている。また、蓋片１８の先端部には差し込み片２０が形成されている。よって、折り込み片１９を内側に折り込んだ上で、折り込まれた折り込み片１９とフロント面１２ａとの間に差し込み片２０を挿入し、これにより開口２１は蓋片１８により閉蓋された状態となる。尚、箱本体１７の他端部に形成された底片２２も蓋片１８と同一の構成であるため、その図示及び説明は省略するものとする。
【００３４】
続いて、中枠１３について説明する。図２は、中枠１３のみを示した図である。化粧品容器１１は、この中枠１３に装着された上で上記した外装箱１２内に装着される（図３参照）。中枠１３は、外装箱１２内における化粧品容器１１の位置決めを行なう機能を奏するものである。以下、中枠１３の構成について詳述する。
【００３５】
中枠１３は透明樹脂（例えば、ポリエチレンテレフタレート等）よりなり、中枠本体２５，容器収納部２６，移動規制部２７，延出片２８，及び係合部３０等を一体成形した構成とされている。中枠本体２５は、化粧品容器１１を装着する容器収納部２６が形成されている。この容器収納部２６は、図１（Ｃ）及び図２（Ｃ）に示すように、円筒形容器本体１５の形状に沿った形状、具体的には湾曲した凹形状とされている。よって、化粧品容器１１を中枠１３に装着した状態で、容器収納部２６により化粧品容器１１は図中矢印Ｙ方向の移動が防止される。
【００３６】
移動規制部２７は、化粧品容器１１を中枠１３に装着した状態において、化粧品容器１１に形成された段部２３に係合するよう構成されている。移動規制部２７が段部２３に係合することにより、化粧品容器１１を中枠１３に装着した状態で、化粧品容器１１は図中矢印Ｘ方向の移動が防止される。
【００３７】
延出片２８（請求項記載の係合部形成部に相当する）は、図４に拡大して示すように、容器収納部２６の底部３１から舌片状に延出した形状とされている。この延出片２８は、補強用リブ２９が突出形成されており、またこの補強用リブ２９には一対の係合部３０が突出形成された構成とされている。
【００３８】
この一対の係合部３０の形成位置は、化粧品容器１１に形成されている係合用凹部２４の形成位置と対応するよう設定されている。更に、係合部３０が形成された延出片２８は、図２（Ｂ）に矢印Ａ１，Ａ２で示すように、延出片２８と底部３１とが接する位置を中心として変位可能な構成（回転可能な構成）とされている。よって、化粧品容器１１を中枠１３に装着した状態で延出片２８を矢印Ａ１方向に変位させることにより、係合部３０は化粧品容器１１の容器底部１５ａに形成されている係合用凹部２４に係合する。
【００３９】
図１及び図３は、係合部３０が係合用凹部２４に係合した状態を示している。このように、係合部３０が係合用凹部２４に係合することにより、中枠１３に対する化粧品容器１１の図中矢印Ｚ方向の移動が防止されると共に、中枠１３上における回転も防止される。
【００４０】
この係合部３０を係合用凹部２４に係合させる際、延出片２８の係合部３０の形成位置には補強用リブ２９が形成されているため、係合部３０の形成位置近傍の剛性は高くなっている。また、補強用リブ２９に形成された係合部３０も形状剛性は高い。このため、係合部３０が係合用凹部２４に係合する際、係合部３０が変形するようなことはなく、確実に係合用凹部２４に係合する。よって、中枠１３上における化粧品容器１１の回転を確実に防止することができる。
【００４１】
次に、上記構成とされた包装用容器１０に化粧品容器１１を装着する方法について説明する。
【００４２】
包装用容器１０に化粧品容器１１を装着するには、先ず中枠１３に化粧品容器１１を装着する。この際、化粧品容器１１に形成されている段部２３が移動規制部２７に係合するよう装着する。また、化粧品容器１１は、その正面が上側となるよう（容器収納部２６と対峙しないよう）中枠１３に装着される。このように装着された状態で、図４に示すように、化粧品容器１１の容器底部１５ａに形成されている係合用凹部２４は、延出片２８のＡ１方向の変位に伴い係合部３０と係合しうる位置（具体的には、一対の係合用凹部２４が水平となる位置）に位置決めされる。
【００４３】
上記のように化粧品容器１１が中枠１３に装着されると、続いて矢印Ａ２方向に開いている延出片２８を矢印Ａ１方向に変位させ、係合部３０を係合用凹部２４に係合させる。この際、係合部３０は必ずしも完全に係合用凹部２４に係合される必要はなく、係合部３０と係合用凹部２４とが若干離間した状態（延出片２８が直角状態より若干Ａ２方向に傾いた状態）であってもかまわない。
【００４４】
続いて、化粧品容器１１が装着された中枠１３を外装箱１２内に挿入する。この際、蓋片１８は開かれているが、底片２２は閉じられた状態で中枠１３の挿入が行なわれる。また、この挿入時において上記のように係合部３０と係合用凹部２４とが若干離間した状態であっても、中枠１３の挿入に伴い延出片２８は外装箱１２の底片２２と当接し、更に奥に挿入されることにより、延出片２８は矢印Ａ１方向（化粧品容器１１の底部３１に向う方向）に変位する。これにより、延出片２８に形成された係合部３０は、係合用凹部２４に確実に係合する。
【００４５】
中枠１３が完全に外装箱１２内に収納されると、続いて折り込み片１９及び蓋片１８が折り込まれ、図１に示すように化粧品容器１１は包装用容器１０内に収納された状態となる。中枠１３のＹ方向の長さは、外装箱１２の内壁のＹ方向長さと略等しく設定されている。
【００４６】
また、中枠１３のＸ方向の長さは、外装箱１２の内壁のＸ方向長さと略等しく設定されている。従って、外装箱１２内に装着された状態において、中枠１３はＸ方向及びＹ方向の移動が防止されており、これより中枠１３に装着された化粧品容器１１も外装箱１２内におけるＸ方向及びＹ方向の移動が規制される。更に、係合部３０が係合用凹部２４に係合することにより、化粧品容器１１は中枠１３上における回転が防止されると共にＺ方向の移動が規制される。
【００４７】
このように本実施例に係る包装用容器１０は、装着された化粧品容器１１のＸ，Ｙ，Ｚ方向の移動規制を行なうと共に、中枠１３上における化粧品容器１１の回転を防止することができる。これにより、化粧品容器１１を収納した包装用容器１０が販売店まで搬送されるまでの間に振動や衝撃が与えられても、化粧品容器１１は包装用容器１０内の同一位置に位置した状態を維持する。即ち、化粧品容器１１の正面と外装箱１２の透明部３４とが対向した状態を常に維持することができ、化粧品容器１１の視認性を高めることができる。
【００４８】
また、上記のように化粧品容器１１の回転防止は、係合部３０が化粧品容器１１の係合用凹部２４に係合することにより行なわれるため、確実に回転防止を図ることができる。このため、容器収納部２６と化粧品容器１１（円筒形容器本体１５）との接触面積を広く取る必要はなくなり、よって中枠１３の小型化を図ることができる。
【００４９】
具体的には、本実施例では図１（Ｂ），図３，及び図４に示されるように、中枠１３は化粧品容器１１（円筒形容器本体１５）の下部半分とのみ係合した構成とされている。よって、透明部３４を介して化粧品容器１１を見た場合、中枠１３は透明部３４から殆ど見えることはなく、化粧品容器１１の展示効果を高めることができる。
【００５０】
更に本実施例では、係合部３０が化粧品容器１１の目立たない位置である容器底部１５ａにおいて係合用凹部２４と係合する構成とされているため、係合部３０を係合用凹部２４と係合させることにより化粧品容器１１の回転防止を図っても、化粧品容器１１の外装箱１２の外部からの視認性が劣化するようなことはない。
【００５１】
更に、延出片２８は中枠本体２５に対して変位可能とされているため、係合用凹部２４に対する係合部３０の係合及び係合解除は、延出片２８をＡ１，Ａ２方向に変位（回転）させることにより容易に行なうことができる。よって、係合部３０を設けても中枠１３に対する化粧品容器１１の装着脱を容易に行なうことができ、包装用容器１０の使用性を高めることができる。
【００５２】
尚、上記した実施例では、化粧品容器１１に係合用凹部２４を形成し、中枠１３に係合部３０を形成した例について説明したが、化粧品容器に係合部を形成し中枠１３に係合用凹部を構成とすることも可能である。この構成においても、上記した実施例と同様の効果を実現することができる。
【図面の簡単な説明】
【００５３】
【図１】図１は、本発明の一実施例である包装用容器を説明するための図であり、図１（Ａ）は平面図、図１（Ｂ）は正面図、図１（Ｃ）は左側面図である。
【図２】図２は、本発明の一実施例である包装用容器を構成する中枠を説明するための図であり、図１（Ａ）は平面図、図１（Ｂ）は正面図、図１（Ｃ）は左側面図である。
【図３】図３は、中枠を外装箱に装着する様子を示す斜視図である。
【図４】図４は、中枠の底部を拡大して示す図である。
【符号の説明】
【００５４】
１０  包装用容器
１１  化粧品容器
１２  外装箱
１３  中枠
１５  円筒形容器本体
１７  箱本体
２３  段部
２４  係合用凹部
２５  中枠本体
２６  容器収納部
２７  移動規制部
２８  延出片
２９  補強用リブ
３０  係合部
【図１】
2005200040.tif 000003
【図２】
2005200040.tif 000004
【図３】
2005200040.tif 000005
【図４】
2005200040.tif 000006